【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
広域のパケットベースの通信ネットワークに結合され、該パケットベースのネットワーク上で実装されるパケットベースの通信システムを使用して、音声又はビデオの呼を行うためのミキサークライアント・アプリケーションがインストールされる、第１の端末と；
ローカル無線リンクを介して前記第１の端末に結合される複数の第２の端末であって、前記ミキサークライアントを介して前記呼に参加するための軽量のサブクライアントのそれぞれのインスタンスが各第２の端末にインストールされるが、前記ミキサークライアントと比べて低減された機能を有する、複数の第２の端末と；
を備える構成であって、
前記ミキサークライアントは、前記パケットベースの通信システムを使用する前記パケットベースの通信ネットワークを介するリモートの第３の端末のとの呼を、該第３の端末の観点から前記ミキサークライアントを前記パケットベースの通信システム内の前記呼のエンドポイントとして識別するユーザ認証情報に基づいて確立するように構成され、
前記第２の端末のそれぞれは、各々が異なるそれぞれの近端ユーザに関連付けられる、それぞれのオーディオ及び／又はビデオ・ストリームを同時に生成するように動作可能であり、それぞれの各サブクライアントは、前記ユーザ認証情報による識別の下で前記ミキサークライアントによって確立される前記呼で使用するために、前記それぞれのオーディオ及び／又はビデオ・ストリームストリームを、前記ローカル無線リンクを介して前記ミキサークライアントに送信するように構成され、
前記ミキサークライアントは、前記呼が前記サブクライアントから受信したストリームを使用する複数端末動作状態と、前記呼が前記サブクライアントからのストリームを使用せずに前記第１の端末によって生成されたストリームを使用する同一端末動作状態との間で切り替わり、前記複数端末動作状態では、前記第１の端末において前記サブクライアントから受信した同時のストリームを混合し、該混合ストリームを前記第１の端末において符号化し、該混合ストリームを、前記ユーザ認証情報による識別の下で前記パケットベースの通信システムを介して前記呼の一部として前記第３の端末に送信するように構成され、
前記サブクライアントの前記低減された機能は、前記ローカル無線リンク上でのみ通信するように構成され、前記パケットベースの通信ネットワーク上で実装される前記パケットベースの通信システムは使用しないことと、前記パケットベースの通信システム上で前記第３の端末への前記混合ストリームを圧縮するために前記ミキサークライアントによって用いられる圧縮と比べて、前記ミキサークライアントに前記ローカル無線リンク上で送信される前記オーディオ及び／又はビデオ・ストリームに低減された圧縮のみを使用すること、
を含む、構成。
【請求項２】
前記低減された機能は、
前記サブクライアントが、前記第１の端末上の前記ミキサークライアントを介して前記第３の端末に送信するための入力オーディオ及び／又はビデオ・ストリームを受信するのみであり、前記呼の出力オーディオ及び／又はビデオ・ストリームは再生しないように構成される入力専用クライアントであり、前記複数端末動作状態と前記同一端末動作状態との双方において、前記ミキサークライアントが、前記第３の端末から受信した前記呼の出力オーディオ及び／又はビデオ・ストリームを前記第１の端末において再生するように構成されること、
前記サブクライアントが、前記パケットベースの通信システムを使用して呼を確立するための呼設定プロトコルを用いるように構成されず、前記ミキサークライアントが、前記呼を確立するための呼設定プロトコルを用いるように構成されること、
前記サブクライアントが、前記パケットベースの通信システムのユーザ認証情報を受け入れるようには構成されず、このため前記近端ユーザが、前記パケットベースの通信システムの認証情報を使用して前記サブクライアントにログインしないこと、
前記サブクライアントが、前記オーディオ及び／又はビデオ・ストリームを、前記ローカル無線リンク上で前記ミキサークライアントに送るときに圧縮するように符号化せず、前記ミキサークライアントが、前記混合ストリームを、前記パケットベースの通信システムを介して前記第３の端末に送信するときに圧縮するように符号化すること、
前記サブクライアントが、前記ローカル無線リンク上で前記ミキサークライアントに送られる前記オーディオ及び／又はビデオ・ストリームを暗号化せず、前記ミキサークライアントが、前記パケットベースの通信システム上で前記第３の端末に送信される前記混合ストリームを暗号化すること
のうちの１つ又は複数を備える、請求項１に記載の構成。
【請求項３】
前記ミキサークライアントが、前記ローカル無線リンク上の前記サブクライアントの１つ又は複数のインスタンスの存在を検出し、該検出に応じて前記の状態の間で切り替わるように構成される、請求項１又は２に記載の構成。
【請求項４】
前記ミキサークライアントが、前記ローカル無線リンク上の前記サブクライアントの１つ又は複数から到来する前記オーディオ及び／又はビデオ・ストリームを検出し、該検出に応じて前記の状態の間で切り替わるように構成される、請求項１から３のいずれかに記載の構成。
【請求項５】
前記検出に応じた切り替えが、
前記複数端末動作状態において用いるための１つ又は複数のサブクライアントを選択するように、ユーザ選択肢を前記第１の端末において近端ユーザに提示することと、
前記の状態の間で自動的に切り替わることと
のうちの１つを含む、請求項３又は４に記載の構成。
【請求項６】
前記ミキサークライアントは、前記サブクライアントのインスタンスの存在がないとき、及び／又は前記サブクライアントからの前記ストリームがないとき、前記同一端末動作状態をデフォルトの状態として用いるように構成される、請求項３、４又は５に記載の構成。
【請求項７】
前記ミキサークライアントが、前記近端ユーザの中から複数の同時にアクティブな話者のストリームを混合するように構成されることと、
前記ミキサークライアントが、前記サブクライアントから受信される複数の同時のストリームのうちのいずれが、前記近端ユーザの中のアクティブな話者を最もよく表すかを判断し、前記呼の一部として前記第３の端末に送信されるよう前記アクティブな話者のストリームだけを選択することにより、前記ストリームを混合するように構成されることと、
のうちの１つである、請求項１から６のいずれかに記載の構成。
【請求項８】
前記ミキサークライアントが、該ミキサークライアントにおいて実装された呼設定プロトコルを用いて前記呼を確立するように構成されるマスタ・クライアントであることと、
更なるクライアントがサーバ上にインストールされ、前記ミキサークライアントが、前記第１の端末において前記ストリームを混合し、前記更なるクライアントにおいて実装される呼設定プロトコルを介して前記呼を確立するための中継器として動作するように構成されることと、
のうちの１つである、請求項１から７のいずれかに記載の構成。
【請求項９】
ミキサークライアント・アプリケーションであって、第１の端末上で実行されると、該第１の端末に、
リモートの第３の端末との呼を、広域のパケットベースの通信ネットワークを通して実現されるパケットベースの通信システムを用いて、前記第３の端末の観点から前記ミキサークライアントを前記パケットベースの通信システム内の前記呼のエンドポイントとして識別するユーザ認証情報に基づいて確立させ、
ローカル無線リンク上でオーディオ及び／又はビデオ・ストリームを同時に受信させることであって、該オーディオ及び／ビデオ・ストリームの各々が、前記第１の端末に結合される複数の第２の端末の異なるそれぞれの近端ユーザに各々関連付けられており、それぞれのオーディオ及び／ビデオ・ストリームは、前記ミキサークライアントと比べて低減された機能を有する、それぞれの第２の端末上で作動する軽量のサブクライアントのそれぞれのインスタンスからのストリームであり、
前記呼が前記サブクライアントから受信したストリームを使用する複数端末動作状態と、前記呼が前記サブクライアントからのストリームを使用せずに前記第１の端末によって生成されたストリームを使用する同一端末動作状態との間で切り替えさせ、
前記複数端末動作状態では、前記第１の端末において前記サブクライアントから受信した同時ストリームを混合させ、該混合ストリームを前記第１の端末において符号化させ、該混合ストリームを、前記ユーザ認証情報による識別の下で前記パケットベースの通信システムを介して前記呼の一部として前記第３の端末に送信させる
ように構成され、
前記サブクライアントの前記低減された機能は、前記ローカル無線リンク上でのみ通信するように構成され、前記パケットベースの通信ネットワーク上で実装される前記パケットベースの通信システムは使用しないことと、前記パケットベースの通信システム上で前記第３の端末への前記混合ストリームを圧縮するために前記ミキサークライアントによって用いられる圧縮と比べて、前記ミキサークライアントに前記ローカル無線リンク上で送信される前記オーディオ及び／又はビデオ・ストリームに低減された圧縮のみを使用すること、
を含む、ミキサークライアント・アプリケーション。
【請求項１０】
第１の端末上の第１のクライアントを介して呼に参加するが、前記第１のクライアントと比べて低減された機能を有するサブクライアント・アプリケーションであって、前記サブクライアントは、第２の端末上で実行されると、該第２の端末に、
それぞれの近端ユーザに関連するそれぞれのオーディオ及び／又はビデオ・ストリームを生成させ、
広域のパケットベースの通信ネットワーク上で実装されるパケットベースの通信システムを使用して、リモートの第３の端末の観点から前記パケットベースの通信システム内の前記呼のエンドポイントとして前記第１のクライアントを識別するユーザ認証情報に基づいて、前記第１のクライアントによって確立された前記第３の端末との呼において使用するために、それぞれのストリームをローカル無線リンク上で前記第１のクライアントに送信させ、
これにより前記第１のクライアントを介して前記呼に参加させるように構成され、
前記第１のクライアントは、前記オーディオ及び／又はビデオ・ストリームの前記生成及び送信によって、１つ又は複数のサブクライアントからの少なくとも前記オーディオ及び／又はビデオ・ストリームを含む、前記サブクライアントから受信した１つ又は複数のストリームを前記呼が使用する第２の動作状態と、前記サブクライアントからのストリームを使用せずに前記第１の端末によって生成されたストリームを前記呼が使用する第１の動作状態との間で切り替わることが可能になり、前記第２の動作状態では前記第１のクライアントは、前記第１の端末において前記１つ又は複数のサブクライアントからの前記１つ又は複数のストリームを符号化して、符号化されたストリームにし、該符号化されたストリームを、前記ユーザ認証情報による識別の下で前記パケットベースの通信システムを介して前記呼の一部として前記第３の端末に送信することが可能になり、
前記サブクライアントの前記低減された機能は、前記ローカル無線リンク上でのみ通信するように構成され、前記パケットベースの通信ネットワーク上で実装される前記パケットベースの通信システムは使用しないことと、前記パケットベースの通信システム上で前記第３の端末への混合ストリームを圧縮するために前記第１のクライアントによって用いられる圧縮と比べて、前記第１のクライアントに前記ローカル無線リンク上で送信される前記オーディオ及び／又はビデオ・ストリームに低減された圧縮のみを使用すること、
を含む、サブクライアント・アプリケーション。